(57)【特許請求の範囲】
【請求項１】
ウェルドライン（１５）とほぼ並行するように、複数本の模様ライン（２７）を表面の模様として有する透明の穴付き射出成形樹脂製品（２０）であって、
複数の湾曲面（３０）が、前記穴付き射出成形樹脂製品（２０）の表面において、前記ウェルドライン（１５）の延び方向に対してほぼ直角方向（以下、「Ａ方向」と言う。）へ並び、
各湾曲面（３０）はＡ方向において凹状に湾曲しており、
前記模様ライン（２７）はＡ方向へ相互に隣り合う湾曲面（３０）の交線により形成されていることを特徴とする穴付き射出成形樹脂製品。
【請求項２】
Ａ方向の位置に関係なく、厚さが均一であることを特徴とする請求項１に記載の穴付き射出成形樹脂製品。
【請求項３】
表示を透視するための平面部を有することを特徴とする請求項１又は２に記載の穴付き射出成形樹脂製品。
【発明の詳細な説明】
【０００１】
【発明の属する技術分野】
この発明は、例えば、オーディオ機器の正面に固定されるパネル材等の穴付き射出成形樹脂製品に係り、詳しくはウェルドラインによる見た目の悪化を防止する穴付き射出成形樹脂製品に関するものである。
【０００２】
【従来の技術】
図１は樹脂パネルの成形過程におけるウェルドライン１５の形成を説明している。金型１０は、所定形状の樹脂パネルを射出成形により成形するための射出空間１３を内側に備えている。ゲート１１は金型１０の１個所に設けられ、溶融樹脂はゲート１１から射出空間１３内へ流入する。樹脂パネルが、周囲を完全に画定される穴（以下、適宜、「周囲完全画定穴」と言う。）をもつ場合には、その穴を形成するための穴成形金型部分１４が金型１０に装備されている。ゲート１１から射出空間１３へ流入した溶融樹脂は、ゲート１１とは反対側の方へ流れるが、途中に穴成形金型部分１４があると、穴成形金型部分１４の両側に分かれて、穴成形金型部分１４の下流側へ回り込み、そこで、相互に衝突し合い、冷却後に、ウェルドライン１５を生じさせる。
【０００３】
【発明が解決しようとする課題】
樹脂パネルが特に無色透明である場合には、ウェルドライン１５が目立つので、人目に付く場所への穴付き無色透明樹脂パネルは、従来、避けられている。
【０００４】
この発明の目的は、ウェルドラインに因る見た目の低下を防止できる穴付き穴付き穴付き射出成形樹脂製品を提供することである。
【０００５】
【課題を解決するための手段】
この発明の穴付き射出成形樹脂製品（２０）は、ウェルドライン（１５）とほぼ並行するように、複数本の模様ライン（２７）を表面の模様として有している。
【０００６】
穴付き射出成形樹脂製品（２０）は例えば穴付き無色透明樹脂パネルを含み、穴付き無色透明樹脂パネルには、装飾感を高めるために、オーディオ機器の正面において色付き樹脂の表面を被覆するように該色付き樹脂に固着されるものを含む。
【０００７】
模様ライン（２７）が形成される領域は、穴付き射出成形樹脂製品（２０）の表面全体に限定されず、部分的であってもよい。ウェルドライン（１５）は、穴付き射出成形樹脂製品（２０）の成形の際に、周囲完全画定穴の下流側にウェルドライン（１５）ができる。模様ライン（２７）が形成される領域は、穴付き射出成形樹脂製品（２０）の周囲完全画定穴の所定下流側範囲の特定部分のみに限定してもよい。
【０００８】
模様ライン（２７）は、典型的には直線であるが、ウェルドライン（１５）の近傍範囲においてウェルドライン（１５）と並行するようになっていれば、ウェルドライン（１５）から離れた範囲では、曲線となっていてもよい。模様ライン（２７）の本数は、好ましくはウェルドライン（１５）の本数より多い。複数本の模様ライン（２７）は、好ましくはほぼ等間隔で形成され、好ましくは、一定間隔当たりの模様ライン（２７）の本数（密度）は、ウェルドライン（１５）の本数（密度）より大とされる。
【０００９】
模様ライン（２７）は、例えば穴付き射出成形樹脂製品（２０）の表面における突条、及び面と面との交線として形成される。
【００１０】
複数本の模様ライン（２７）は、例えば縦縞模様等の所定の模様を構成し、穴付き射出成形樹脂製品（２０）の正面を見る人は、ウェルドライン（１５）より模様ライン（２７）の方に強く印象付けられる。したがって、ウェルドライン（１５）に因る穴付き射出成形樹脂製品（２０）の見た目の悪化は抑制される。
【００１１】
この発明の穴付き射出成形樹脂製品（２０）によれば、さらに、複数の湾曲面（３０）が、穴付き射出成形樹脂製品（２０）の表面において、ウェルドライン（１５）の延び方向に対してほぼ直角方向（以下、「Ａ方向」と言う。）へ並び、模様ライン（２７）はＡ方向へ相互に隣り合う湾曲面（３０）の交線により形成されている。
【００１２】
複数個の湾曲面（３０）がＡ方向へ並ぶことにより、模様ライン（２７）は穴付き射出成形樹脂製品（２０）の頂部（表面側に突出した部位）に形成されるのに対し、ウェルドライン（１５）は、頂部より裏面側へ引き込まれた湾曲面（３０）に形成されて、穴付き射出成形樹脂製品（２０）の正面からは一層目立たなくなる。
【００１３】
この発明の穴付き射出成形樹脂製品（２０）によれば、表面側の方への突出量がウェルドライン（１５）の延び方向に対してほぼ直角方向へ増減を交互に繰返すような表面構造を有している。
【００１４】
表面側の方への突出量がＡ方向へ増減を繰返すような構造は、表面側のみ規定され、裏面側は、表面側とは別の構造、例えば、平面構造であってもよい。表面側の方への突出量がＡ方向へ増減を繰返すような表面構造の例として、波型、三角型、及び鋸歯型等がある。このような表面構造により、ウェルドライン（１５）は、通常は、穴付き射出成形樹脂製品（２０）の表面側の方への最大突出量の部位を外され、穴付き射出成形樹脂製品（２０）の裏面側へ引き込まれた部位に形成されることになり、又は正面視で斜めの面部に形成されることになり、穴付き射出成形樹脂製品（２０）の正面から目立たなくなる。
【００１５】
この発明の穴付き射出成形樹脂製品（２０）によれば、ウェルドライン（１５）の延び方向に対してほぼ直角方向（以下、「Ａ方向」と言う。）の横断面が、表面側の方と裏面側の方とへ交互に行き来しつつＡ方向へ延びて行く形状となっている。
【００１６】
穴付き射出成形樹脂製品（２０）の該横断面の厚さは、好ましくはＡ方向への位置に関係なく、均一とされる。Ａ方向へ表面側の方と裏面側の方とへ交互に行き来する横断面形状の例として、波型、三角型、鋸歯型等がある。このような横断面形状により、正面側からの穴付き射出成形樹脂製品（２０）の見た目は、ウェルドライン（１５）より該形状の方が印象的となり、ウェルドライン（１５）は、相対的に印象が薄くなって、目立たなくなる。
【００１７】
【発明の実施の形態】
以下、発明の実施の形態について図面を参照して説明する。
図２は正面被覆用無色樹脂パネル２０を表面側から見た図、図３は図２においてボリューム調整摘み用穴２３のほぼ中心を通る縦断面で示す図である。この正面被覆用無色樹脂パネル２０が装備されるオーディオコンポーネントはオーディオ装置本体と左右スピーカとから成り、オーディオ装置本体の正面には、最初に、黒色樹脂パネル３４（図５）が装着され、さらに、この正面被覆用無色樹脂パネル２０が黒色樹脂パネル３４の表面側所定範囲を被覆するように取り付けられる。オーディオ装置本体は、箱型であり、箱内にＣＤプレーヤ、カセットテーププレーヤ、及びチューナを内蔵する。図２の上下左右方向は、正面被覆用無色樹脂パネル２０の実際の取り付け状態における上下左右方向に一致している。複数個（図では５個）の操作キー用穴２１は、正面被覆用無色樹脂パネル２０の上下方向中間部において、左右方向へほぼ等間隔に形成され、オーディオ装置本体への正面被覆用無色樹脂パネル２０の組付け時に、早送りキー、再生キー、停止キー、及び巻戻しキー等の各種操作キー（図示せず）を嵌挿するためのものである。パワーキー用穴２２は、正面被覆用無色樹脂パネル２０の正面から見て操作キー用穴２１の列の左半部の下側において形成され、オーディオ装置本体への正面被覆用無色樹脂パネル２０の組付け時に、パワーキー（図示せず）を嵌挿するためのものである。ボリューム調整摘み用穴２３は、正面被覆用無色樹脂パネル２０の正面から見て操作キー用穴２１の列の右半部の下側において形成され、オーディオ装置本体への正面被覆用無色樹脂パネル２０の組付け時に、円柱型のボリューム調整摘み３７（図５）を嵌挿するためのものである。ＦＬ透視用平面部２４は、操作キー用穴２１の列より上側に位置し、横長の長方形であり、オーディオ装置本体のＦＬ（蛍光表示管部）の表示を外から視認可能にしている。複数本の縦縞模様形成用縦線２７は、左右方向へほぼ等間隔に並び、上下方向へ延び、正面被覆用無色樹脂パネル２０の模様を構成する。複数本の縦縞模様形成用縦線２７が設けられている領域は、ＦＬ透視用平面部２４より上側の上下方向範囲としての第１の領域３１、ＦＬ透視用平面部２４と操作キー用穴２１の列との間の上下方向範囲の第２の領域３２、及び操作キー用穴２１の列より下側の上下方向範囲としての第３の領域３３である。この正面被覆用無色樹脂パネル２０を図１のような金型１０で成形する場合、ゲート１１は、図２の正面被覆用無色樹脂パネル２０の下端側中央に位置する。したがって、正面被覆用無色樹脂パネル２０の成形の際の溶融樹脂の流れに関して、正面被覆用無色樹脂パネル２０の下側が上流側に、正面被覆用無色樹脂パネル２０の上側が下流側になる。操作キー用穴２１及びパワーキー用穴２２は、ボリューム調整摘み用穴２３と異なり、周囲を完全に画定される穴（＝周囲完全画定穴）であるので、正面被覆用無色樹脂パネル２０の成形にの下流側にはウェルドライン１５（図１）ができる。
【００１８】
図４は図２において縦縞模様形成用縦線２７が形成されている第１の領域３１の左右方向断面図、図５は図２の正面被覆用無色樹脂パネル２０を黒色樹脂パネル３４に組付けた状態で正面被覆用無色樹脂パネル２０の上側から見た図である。第２及び第３の領域における左右方向断面構造も、図４と同一構造となる。図４において、上側及び下側は正面被覆用無色樹脂パネル２０の表面側及び裏面側に対応する。正面被覆用無色樹脂パネル２０の厚さは、正面被覆用無色樹脂パネル２０の左右方向へ均一になっている。黒色樹脂パネル３４は、裏面側において箱型のオーディオ装置本体の正面に装着され、表面側の所定範囲部分を正面被覆用無色樹脂パネル２０により被覆される。正面被覆用無色樹脂パネル２０は、左右方向へ等間隔で表面側へ凹の湾曲部２９を繰返す横断面形状とされ、この結果、正面被覆用無色樹脂パネル２０の表面側には、各湾曲部の表面としての凹面３０が左右方向へ等間隔で複数回、繰返す構造とされる。前述の縦縞模様形成用縦線２７は、左右方向へ隣り合う凹面３０の交線より成る。図５から分かるように、第１の領域３１における縦縞模様形成用縦線２７と、第２の領域３２における縦縞模様形成用縦線２７とは、正面被覆用無色樹脂パネル２０の左右方向へ必ずしも同一位置になっていない。図５において、円柱型のボリューム調整摘み３７は、正面被覆用無色樹脂パネル２０より前方へ所定寸法、隆起している。
【００１９】
前述したように、正面被覆用無色樹脂パネル２０には、周囲完全画定穴としての操作キー用穴２１及びパワーキー用穴２２の下流側にウェルドライン１５が生じるが、正面からの正面被覆用無色樹脂パネル２０の正面からの目視では、ウェルドライン１５より縦縞模様形成用縦線２７の方が見た目の強い印象となり、ウェルドライン１５の存在を気が付かなくさせることができる。また、複数個の凹面３０の連続に因る正面被覆用無色樹脂パネル２０の表面の凹凸も、光を多方向へ散乱させ、ウェルドライン１５への注目を低減させるように作用する。こうして、正面被覆用無色樹脂パネル２０を見る者にウェルドライン１５を見え難くさせる。
【図面の簡単な説明】
【図１】樹脂パネルの成形過程におけるウェルドラインの形成を説明している。
【図２】正面被覆用無色樹脂パネルを表面側から見た図である。
【図３】図２においてボリューム調整摘み用穴のほぼ中心を通る縦断面で示す図である。
【図４】図２において縦縞模様形成用縦線が形成されている第１の領域の左右方向断面図である。
【図５】図２の正面被覆用無色樹脂パネルを黒色樹脂パネルに組付けた状態で正面被覆用無色樹脂パネルの上側から見た図である。
【符号の説明】
１５    ウェルドライン
２０    正面被覆用無色樹脂パネル（穴付き射出成形樹脂製品）
２７    縦縞模様形成用縦線（模様ライン）
３０    凹面
【図１】
0003718406.tif 000002
【図２】
0003718406.tif 000003
【図３】
0003718406.tif 000004
【図４】
0003718406.tif 000005
【図５】
0003718406.tif 000006